(57)【特許請求の範囲】
【請求項１】
多重セルをサポートする通信システムにおけるハイブリッド自動再送要求確認応答（ＨＡＲＱ−ＡＣＫ）をユーザ装置（ＵＥ）によって送信する方法であって、
プライマリーセルに対応する第１のダウンリンク制御情報で、送信電力制御情報に基づいて、前記ＨＡＲＱ−ＡＣＫの送信のための電力を識別するステップと、
セカンダリーセルに対応する第２のダウンリンク制御情報で、前記送信電力制御情報に基づいて、基地局によって構成された前記ＨＡＲＱ−ＡＣＫの送信に対するリソースのセットから前記ＨＡＲＱ−ＡＣＫの送信のためのリソースを識別するステップと、
前記プライマリーセルで前記リソースに基づいて前記ＨＡＲＱ−ＡＣＫを送信するステップとを含む
ことを特徴とする方法。
【請求項２】
前記ＵＥは、前記ＨＡＲＱ−ＡＣＫの送信に対する同一のリソースがセカンダリーセルに対応する各第２のダウンリンク制御情報で送信されると推定するステップを含む
ことを特徴とする請求項１に記載の方法。
【請求項３】
全てのセルに対するＨＡＲＱ−ＡＣＫビットは共に符号化される
ことを特徴とする請求項１に記載の方法。
【請求項４】
前記ＨＡＲＱ−ＡＣＫの送信に対して前記識別されたリソースは、リソース選択のために使用される
ことを特徴とする請求項１に記載の方法。
【請求項５】
多重セルをサポートする通信システムにおけるハイブリッド自動再送要求確認応答（ＨＡＲＱ−ＡＣＫ）を送信するユーザ装置（ＵＥ）であって、
プライマリーセルに対応する第１のダウンリンク制御情報で、送信電力制御情報に基づいて、前記ＨＡＲＱ−ＡＣＫの送信のための電力を識別し、セカンダリーセルに対応する第２のダウンリンク制御情報で、前記送信電力制御情報に基づいて、基地局によって構成された前記ＨＡＲＱ−ＡＣＫの送信に対するリソースのセットから前記ＨＡＲＱ−ＡＣＫの送信に対するリソースを識別する制御部と、
前記プライマリーセルから前記リソースに基づいて前記ＨＡＲＱ−ＡＣＫを送信する送信部とを含む
ことを特徴とするユーザ装置 。
【請求項６】
前記制御部は、前記ＨＡＲＱ−ＡＣＫの送信に対する同一のリソースがセカンダリーセルに対応するそれぞれの第２のダウンリンク制御情報で送信されると推定する
ことを特徴とする請求項５に記載のユーザ装置。
【請求項７】
全てのセルに対するＨＡＲＱ−ＡＣＫビットは共に符号化される
ことを特徴とする請求項５に記載のユーザ装置。
【請求項８】
前記ＨＡＲＱ−ＡＣＫの送信に対して前記識別されたリソースは、リソース選択のために使用される
ことを特徴とする請求項５に記載のユーザ装置。
【請求項９】
多重セルをサポートする通信システムにおけるハイブリッド自動再送要求確認応答（ＨＡＲＱ−ＡＣＫ）を受信する基地局による方法であって、
前記ＨＡＲＱ−ＡＣＫの送信電力に対するプライマリーセルに対応する第１のダウンリンク制御情報で電力制御情報を送信するステップと、
前記ＨＡＲＱ−ＡＣＫの送信に対するリソースに対してセカンダリーセルに対応する第２のダウンリンク制御情報で、前記基地局によって構成された前記ＨＡＲＱ−ＡＣＫが送信に対するリソースのセットから前記ＨＡＲＱ−ＡＣＫの送信に対するリソースを指示する送信電力制御情報を送信するステップと、
前記プライマリーセルから前記リソースに基づいて前記ＨＡＲＱ−ＡＣＫを受信するステップとを含む
ことを特徴とする方法。
【請求項１０】
前記基地局は、セカンダリーセルに対応するそれぞれの第２のダウンリンク制御情報で、前記ＨＡＲＱ−ＡＣＫの送信のための同一のリソースを指示する
ことを特徴とする請求項９に記載の方法。
【請求項１１】
全てのセルに対するＨＡＲＱ−ＡＣＫビットは共に符号化される
ことを特徴とする請求項９に記載の方法。
【請求項１２】
前記ＨＡＲＱ−ＡＣＫの送信に対する前記リソースは、リソース選択のために使用される
ことを特徴とする請求項９に記載の方法。
【請求項１３】
多重セルをサポートする通信システムにおけるハイブリッド自動再送要求確認応答（ＨＡＲＱ−ＡＣＫ）を受信する基地局であって、
前記ＨＡＲＱ−ＡＣＫの送信電力に対するプライマリーセルに対応する第１のダウンリンク制御情報で電力制御情報を送信し、前記ＨＡＲＱ−ＡＣＫの送信に対するリソースに対してセカンダリーセルに対応する第２のダウンリンク制御情報で、前記基地局によって構成された前記ＨＡＲＱ−ＡＣＫが送信に対するリソースのセットから前記ＨＡＲＱ−ＡＣＫの送信に対するリソースを指示する送信電力制御情報を送信する送信部と、
前記プライマリーセルから前記リソースに基づいて前記ＨＡＲＱ−ＡＣＫを受信する受信部とを含む
ことを特徴とする基地局。
【請求項１４】
セカンダリーセルに対応するそれぞれの第２のダウンリンク制御情報で、前記ＨＡＲＱ−ＡＣＫの送信のための同一のリソースを指示する制御部をさらに含む
ことを特徴とする請求項１３に記載の基地局。
【請求項１５】
全てのセルに対するＨＡＲＱ−ＡＣＫビットは共に符号化される
ことを特徴とする請求項１３に記載の基地局。
【請求項１６】
前記ＨＡＲＱ−ＡＣＫの送信に対する前記リソースはリソース選択のために使用される
ことを特徴とする請求項１３に記載の基地局。
【発明の詳細な説明】
【技術分野】
【０００１】
本発明は、無線通信システムに関し、特に、複数のスケジューリング割り当ての受信に応答して発生する確認応答信号の通信システムのアップリンクでの送信に関する。
【背景技術】
【０００２】
通信システムは、基地局（“ノードＢ”とも呼ぶ）からユーザ機器（User Equipment：以下、“ＵＥ”と称する）への信号の送信を伝達するダウンリンク（DownLink：以下、“ＤＬ”と称する）とＵＥからノードＢへの信号の送信を伝達するアップリンク（UpLink：以下、“ＵＬ”と称する）とから構成される。端末機又は移動局とも呼ばれるＵＥは固定されるか又は移動可能であり、無線装置、携帯電話、個人用コンピュータ装置などであってもよい。ノードＢは、一般的に固定されたステーションであり、基地局送受信システム（Base Transceiver System：ＢＴＳ）、アクセスポイントなどとも呼ぶ。
【０００３】
通信システムのＵＬは、情報コンテンツを運搬するデータ信号、通信システムのＤＬでのデータ信号の送信に関連した情報を提供する制御信号、パイロット信号とも知られている基準信号（ＲＳ）の送信をサポートする。また、ＤＬは、データ信号、制御信号、及びＲＳの送信をサポートする。ＵＬデータ信号は、物理アップリンク共有チャネル（Physical Uplink Shared CHannel：ＰＵＳＣＨ）を介して伝達される。ＤＬデータチャネルは、物理ダウンリンク共有チャネル（Physical Downlink Shared Channel：ＰＤＳＣＨ）を介して伝達される。ＰＵＳＣＨ送信がない場合に、ＵＥは、物理アップリンク制御チャネル（Physical Uplink Control Channel：ＰＵＣＣＨ）を介してアップリンク制御情報（ＵＣＩ）を伝達し、そうでない場合には、ＵＣＩがＰＵＳＣＨでデータとともに伝達されてもよい。ＤＬ制御信号は、ブロードキャストされるか又はＵＥに関連してもよい。ＵＥ特定制御チャネルは、他の目的のうちでもＰＤＳＣＨ受信のためのスケジューリング割り当て（ＤＬ ＳＡ）又はＰＵＳＣＨ送信のためのスケジューリング割り当て（ＵＬ ＳＡ）をＵＥに提供するために使用することができる。ＳＡは、ダウンリンク制御情報（ＤＣＩ）フォーマットを用いてそれぞれの物理ダウンリンク制御チャネル（ＰＤＣＣＨ）を介してノードＢからそれぞれのＵＥに送信される。
【０００４】
ＵＬ制御信号は、ハイブリッド自動再送要求（Hybrid Automatic Repeat reQuest：ＨＡＲＱ）過程に関連した確認応答信号を含み、通常、ＰＤＳＣＨを通して伝達されるデータ転送ブロック（ＴＢ）の正確な又は不正確な受信に応答する。図１は、本例において、１つのサブフレームで構成される送信時間間隔（Transmission Time Interval：ＴＴＩ）でのＨＡＲＱ確認応答（ＨＡＲＱ−ＡＣＫ）信号の送信に対するＰＵＣＣＨ構造を示す。サブフレーム１１０は、２個のスロットを含む。各スロット１２０は、ＨＡＲＱ−ＡＣＫ信号のコヒーレント復調を可能にするＨＡＲＱ−ＡＣＫ信号１３０又は基準信号（ＲＳ）１４０の送信のための
【数１】
0005960771.tif 000002
個のシンボルを含む。各シンボルは、チャネル伝搬効果による干渉を緩和するためにサイクリックプレフィックス（ＣＰ）をさらに含む。第１のスロットでの送信は、周波数ダイバーシティを提供するために第２のスロットでの送信とは動作帯域幅（ＢＷ）が異なる部分にあってもよい。動作ＢＷは、リソースブロック（ＲＢ）と呼ばれる周波数リソースユニットで構成されると仮定する。各ＲＢは、
【数２】
0005960771.tif 000003
個のサブキャリア又はリソース要素（ＲＥ）で構成されるものと仮定し、ＵＥは、１つのＲＢ１５０を介してＨＡＲＱ−ＡＣＫ信号及びＲＳを送信する。
【０００５】
図２は、ＰＵＣＣＨの１つのスロットで一定振幅ゼロ自己相関（Constant Amplitude Zero Auto-Correlation：ＣＡＺＡＣ）を用いるＨＡＲＱ−ＡＣＫ信号送信のための構造を示す。他のスロットでの送信は、同一の構造を効果的に有するものと仮定する。ＨＡＲＱ−ＡＣＫビットｂ２１０は、ＣＡＺＡＣシーケンス２３０、例えば、２位相偏移変調（Binary Phase Shift Keying：ＢＰＳＫ）又は４位相偏移変調（Quaternary Phase Shift Keying：ＱＰＳＫ）を用いて変調２２０を行い、次に説明するように、逆高速周波数変換（Inverse Fast Frequency Transform：ＩＦＦＴ）を実行した後に送信される。ＲＳ２４０は、非変調されたＣＡＺＡＣシーケンスを介して送信される。
【０００６】
ＣＡＺＡＣシーケンスの例は、下記の数式（１）で与えられる。
【０００７】
【数３】
0005960771.tif 000004
【０００８】
ここで、ＬはＣＡＺＡＣシーケンスの長さであり、ｎはシーケンス要素のインデックスであり、ｎ＝｛０，１，２，．．．，Ｌ−１｝であり、ｋはシーケンスインデックスである。Ｌが素数（prime integer）である場合に、｛１，２，．．．，Ｌ−１｝でｋ個の範囲で定義されたＬ−１個の区別される（distinct）シーケンスが存在する。１個のＲＢが
【数４】
0005960771.tif 000005
個のＲＥを含むと仮定すると、同一の長さを有するＣＡＺＡＣシーケンスは、ＣＡＺＡＣ特性を満足するシーケンスに対するコンピュータ検索を介して直接発生することができる。
【０００９】
図３は、ＲＳとしての変調なしに、又はＨＡＲＱ−ＡＣＫ信号としてのＢＰＳＫ、又はＱＰＳＫ変調とともに使用することができるＣＡＺＡＣシーケンスに対する送信器構造を示す。コンピュータ発生ＣＡＺＡＣシーケンスの周波数領域バージョンがステップ３１０で使用される。ステップ３３０で第１のスロット及び第２のスロットでＣＡＺＡＣシーケンスの送信のために、ステップ３２０で第１のＲＢ及び第２のＲＢが選択され、ステップ３４０でＩＦＦＴが実行され、この後に説明されるように、ステップ３５０で循環シフト（ＣＳ）が出力に適用される。最後に、ステップ３６０でＣＰが挿入され、タイムウィンドーイングを介したフィルターリングが送信された信号３８０に適用される。ＵＥは、自身の信号送信のために使用されないＲＥ及び保護ＲＥ（図示せず）でゼロパディング（zero padding）を適用すると仮定する。また、簡潔さのために、ディジタル−アナログ変換器、アナログフィルター、増幅器、及び送信器アンテナのような追加の送信器回路は、当業者に知られているので図示しなかった。
【００１０】
図４は、ＨＡＲＱ−ＡＣＫ信号受信のための受信器構造を示す。アンテナは、ＲＦアナログ信号を受信し、（フィルター、増幅器、周波数ダウンコンバータ、及びアナログ−ディジタル変換器のような）追加処理部を経た後に、ディジタル受信信号４１０は、ステップ４２０でフィルターリングされ、ステップ４３０でＣＰが除去される。この後に、ステップ４４０でＣＳが復元され、ステップ４５０で高速フーリエ変換（Fast Fourier Transform：ＦＦＴ）が適用され、第１のスロット及び第２のスロットでステップ４６０での信号送信の第１のＲＢ及び第２のＲＢがステップ４６５で選択され、この信号は、ステップ４７０において、ステップ４８０でのＣＡＺＡＣシーケンスのレプリカ（replica）と相関する。ＲＳの場合には、時間−周波数補間器のようなチャネル推定部、又は送信されたＨＡＲＱ−ＡＣＫ信号に対する検出部に出力４９０が伝達することができる。
【００１１】
同一のＣＡＺＡＣシーケンスの相互に異なるＣＳは、直交ＣＡＺＡＣシーケンスを提供するので、同一のＲＢでＨＡＲＱ−ＡＣＫ信号送信のために相互に異なるＵＥに割り当てられることができ、直交ＵＥ多重化を達成することができる。このような原理は、図５に示されている。同一のルートＣＡＺＡＣシーケンスの複数のＣＳ５２０、５４０、５６０、５８０から対応して発生する複数のＣＡＺＡＣシーケンス５１０、５３０、５５０、５７０が直交することができるように、ＣＳ値Δ５９０はチャネル伝搬遅延拡散Ｄ（時間不確実性エラー及びフィルタースピルオーバー（spillover）効果を含む）を超過しなければならない。ＴＳがシンボル期間（duration）である場合に、このようなＣＳの数は、比ＴＳ／Ｄの数学的フロア（floor）と同一であり、このようなＣＳの数は、
【数５】
0005960771.tif 000006
であり、
【数６】
0005960771.tif 000007
（フロア）関数は、数をこのような数より小さい整数にラウンディングする。
【００１２】
同一のＲＢでＣＡＺＡＣシーケンスの相互に異なるＣＳを用いて相互に異なるＨＡＲＱ−ＡＣＫ信号の直交多重化を行うことに加えて、直交カバーリングコード（ＯＣＣ）を用いて時間領域でも直交多重化が達成することができる。例えば、図２において、ＨＡＲＱ−ＡＣＫ信号は、ウォルシュアダマール（Walsh-Hadamard：ＷＨ）ＯＣＣのような長さ４のＯＣＣにより変調することができ、他方、ＲＳは、ＤＦＴ ＯＣＣ（図示せず）のような長さ３のＯＣＣにより変調することができる。このように、（さらに短い長さのＯＣＣにより決定される）因数３により多重化容量が増加する。ＷＨ ＯＣＣのセット｛Ｗ０，Ｗ１，Ｗ２，Ｗ３｝及びＤＦＴ ＯＣＣのセット｛Ｄ０，Ｄ１，Ｄ２｝は、次のようである。
【００１３】
【数７】
0005960771.tif 000008
【００１４】
表１は、ＣＡＺＡＣシーケンスに対してシンボル当たりの総１２個のＣＳを仮定した場合に、ＨＡＲＱ−ＡＣＫ信号送信に使用されるＰＵＣＣＨリソースｎＰＵＣＣＨに対するＯＣＣｎＯＣＣ及びＣＳαへのマッピングの一例を示している。
【００１５】
【表１】
0005960771.tif 000009
【００１６】
ＳＡは、制御チャネル要素（ＣＣＥ）と呼ばれる基本（elementary）単位で送信される。各ＣＣＥは複数のＲＥで構成され、ＵＥはノードＢによる物理制御フォーマット指示子チャネル（Physical Control Format Indicator Channel：ＰＣＦＩＣＨ）の送信を介してＤＬサブフレームでＣＣＥの総個数ＮＣＣＥの通知を受ける。周波数分割二重化（ＦＤＤ）システムの場合に、ＵＥは、（無線リソース制御（ＲＲＣ）レイヤーのような）上位レイヤーによりノードＢがＵＥに構成するオフセットＮＰＵＣＣＨを加えて、ＤＬ ＳＡの第１のＣＣＥｎＣＣＥからｎＰＵＣＣＨを決定し、ｎＰＵＣＣＨ＝ｎＣＣＥ＋ＮＰＵＣＣＨである。時間分割二重化（ＴＤＤ）システムの場合に、ｎＰＵＣＣＨの決定がさらに関連するが、ＤＬ ＳＡのＣＣＥを使用する同一のマッピング原理が適用される。
【００１７】
図６は、ＣＣＥを使用するＳＡの送信をさらに示している。ＳＡ情報ビット（図示せず）のチャネル符号化及びレートマッチング（rate matching）の後にエンコーディングされたＳＡビットは、論理領域（logical domain）でＣＣＥにマッチングされる。１番目の４個のＣＣＥであるＣＣＥ１ ６０１、ＣＣＥ２ ６０２、ＣＣＥ３ ６０３及びＣＣＥ４ ６０４は、ＵＥ１へのＳＡ送信のために使用される。次の２個のＣＣＥであるＣＣＥ５ ６１１及びＣＣＥ６ ６１２は、ＵＥ２へのＳＡ送信のために使用される。次の２個のＣＣＥであるＣＣＥ７ ６２１及びＣＣＥ８ ６２２は、ＵＥ３へのＳＡ送信のために使用される。最後に、最後のＣＣＥであるＣＣＥ９ ６３１は、ＵＥ４へのＳＡ送信のために使用される。ビットスクランブリング、変調、インターリービング及びＲＥ６４０へのマッピングを含むことができる追加の処理の後に、各ＳＡは、ＤＬサブフレーム６５０のＰＤＣＣＨ領域で送信される。ＵＥ受信器では、逆動作が実行され（簡潔にするために図示せず）、（ＵＥ識別子でマスキングされた循環リダンダンシーチェック（ＣＲＣ）を通してＵＥにより決定されたように）ＳＡが正しくデコーディングされる場合に、ＵＥは、関連ＰＤＳＣＨ（ＤＬ ＳＡ）を受信するか又は関連ＰＵＳＣＨ（ＵＬ ＳＡ）を送信する。
【００１８】
ＨＡＲＱ−ＡＣＫ信号送信のためのリソースと、ＤＬ ＳＡ送信のために使用されるＣＣＥの間に１対１マッピングが存在する。例えば、単一リソースがＨＡＲＱ−ＡＣＫ信号送信に使用される場合に、これは、各ＤＬ ＳＡに対して最小のインデックスを有するＣＣＥに対応することができる。ＵＥ１、ＵＥ２、ＵＥ３、及びＵＥ４は、自身のＨＡＲＱ−ＡＣＫ信号送信のためにＰＵＣＣＨリソース１、５、７、及び９をそれぞれ使用する。または、複数のＣＣＥがＤＬ ＳＡ送信に使用される場合に、ＨＡＲＱ−ＡＣＫ情報は、変調されたＨＡＲＱ−ＡＣＫ信号により伝達することができるだけでなく、（ＤＬ ＳＡを伝達するのに使用される複数のＣＣＥのうちの１つに対応する）選択されたリソースにより伝達されることもできる。ＰＵＣＣＨ ＲＢ内のすべてのリソースが使用される場合に、すぐ次のＲＢのリソースを使用することができる。
【００１９】
単一構成要素キャリア（ＣＣ）で動作するレガシーＦＤＤ通信システムにおて可能なデータ率より高いデータ率をサポートするために、レガシー通信のためのＣＣのＢＷよりさらに広いＢＷが使用されてもよい。このようなさらに広いＢＷは、複数のＣＣの統合（aggregation）を介して達成することができる。例えば、１００ＭＨｚのＢＷは、５個の２０ＭＨｚ ＣＣの統合から得られる。ノードＢは、複数のＣＣを通してＵＥとの通信を構成する。各ＤＬ ＣＣでのＵＥによるＰＤＳＣＨ受信は、図６に説明された各ＤＬ ＳＡにより構成される。ＴＤＤシステムにおいて、ＤＬ又はＵＬでさらに高いデータ率は、特定のリンクにさらに多くのサブフレームを割り当てることにより達成することができる。複数のＣＣの統合と類似しているように、複数のＤＬサブフレームの場合に、各ＤＬサブフレームでＰＤＳＣＨ受信が各ＤＬ ＳＡにより構成される。
【００２０】
複数のＤＬ ＣＣにおいてＵＥによるＤＬ ＳＡ受信に関連したＨＡＲＱ−ＡＣＫ信号の送信は、ＵＥに対する“プライマリー”ＵＬ ＣＣと呼ばれる単一ＵＬ ＣＣのＰＵＣＣＨであり得る（プライマリーＵＬ ＣＣはＵＥ特異的である（ＵＥ−ｓｐｅｃｉｆｉｃ））。プライマリーＵＬ ＣＣにおいて個別のリソースが複数のＤＬ ＣＣでのＤＬ受信に応答したＨＡＲＱ−ＡＣＫ信号の送信のためにＵＥにＲＲＣ−構成をすることができる。
【００２１】
図７は、３個のＤＬ ＣＣであるＤＬ ＣＣ１ ７１０、ＤＬ ＣＣ２ ７２０、及びＤＬ ＣＣ３ ７３０でのＤＬ ＳＡ受信に対応して、プライマリーＵＬ ＣＣ７４０で発生するＨＡＲＱ−ＡＣＫ信号送信を示している。ＤＬ ＣＣ１、ＤＬ ＣＣ２、及びＤＬ ＣＣ３でのＤＬ ＳＡ受信に対応するＨＡＲＱ−ＡＣＫ信号送信のためのリソースは、ＰＵＣＣＨリソースの第１のセット７５０、第２のセット７６０、及び第３のセット７７０にそれぞれ含まれる。
【００２２】
ＵＥがＮ＞１ ＤＬ ＣＣでのＤＬ ＳＡ受信に応答してＨＡＲＱ−ＡＣＫ信号を送信する第１の方式は、プライマリーＵＬ ＣＣの各リソースでＮ＞１ ＨＡＲＱ−ＡＣＫチャネルを同時に送信することである。第２の方式は、３ＧＰＰ Ｅ−ＵＴＲＡ（Evolved Universal Terrestrial Radio Access） ＬＴＥ（Long Term Evolution）ＴＤＤと同様に、変調されたＨＡＲＱ−ＡＣＫ信号を送信し、送信されたＨＡＲＱ−ＡＣＫビットの値に従ってＨＡＲＱ−ＡＣＫ信号送信に使用されるリソースを選択することである。この２つの場合のすべてにおいて、ＨＡＲＱ−ＡＣＫ信号送信のための個別のリソースが各ＤＬ ＣＣに対するＤＬ ＳＡ受信に応答して要求される。第３の方式は、すべてのＨＡＲＱ−ＡＣＫビットを共同で符号化し、各ＵＥに対する排他的（exclusive）ＲＲＣ−構成リソースで単一ＨＡＲＱ−ＡＣＫ信号を送信することである。
【００２３】
プライマリーＵＬ ＣＣでＨＡＲＱ−ＡＣＫ信号の送信の場合に、提供された（provisioned）リソースが各ＤＬ ＣＣでＳＡ送信のために使用されるすべてのＣＣＥに対応すると、多くのＤＬ ＣＣが存在する場合があるのでこれに従うオーバーヘッドが相当であることができる。ＤＬ ＣＣのサブセットでＳＡを受信するＵＥは、他のＤＬ ＣＣで使用されるＣＣＥの数を知らないこともあるので、サブフレームで各ＨＡＲＱ−ＡＣＫリソースの数を認識することができない。したがって、各ＤＬ ＣＣでＣＣＥの最大個数に対応するＨＡＲＱ−ＡＣＫリソースに対する最大個数が仮定される必要がある。最大ＨＡＲＱ−ＡＣＫリソースより少ないＨＡＲＱ−ＡＣＫリソースがサブフレームで使用される場合に、通常、残りは、ＰＵＳＣＨ送信のような他のＵＬ送信に割り当てられることができないので、ＢＷが浪費される。
【００２４】
サブフレーム当たりの複数のＤＬ ＣＣに対するＤＬ ＳＡの受信を有するＵＥの数が通常は大きくないために、リソースのプール（pool）がＨＡＲＱ−ＡＣＫ信号送信に対するＲＲＣにより構成することができる。プライマリーＵＬ ＣＣにリンクされたＤＬ ＣＣに対するＤＬ ＳＡ受信に応答してなされるＨＡＲＱ−ＡＣＫ信号送信のためのリソースは、やはり各ＤＬ ＳＡに対して最小のインデックスを有するＣＣＥから決定することができる。ＤＬ ＣＣとＵＬ ＣＣ間のリンクは、単一セル通信システムの伝統的な意味内にある。ＨＡＲＱ−ＡＣＫ信号送信のためにＲＲＣシグナリング固有リソースを通して各ＵＥに割り当てることによりリソース衝突を避けることができるが、ＵＥがサブフレームでいずれのＤＬ ＳＡ受信も有しない場合にはリソース浪費につながることもある。ＨＡＲＱ−ＡＣＫ信号送信に対して他のＵＥとのＲＲＣシグナリング共有リソースを通してＵＥに割り当てられることは、ＨＡＲＱ−ＡＣＫ信号送信に対して共有されたリソースを有するＵＥが同一のサブフレームでそれぞれのＤＬ ＳＡを受信することができないので、スケジューラ制限事項のおかげでリソース浪費の確率を減少させることができる。
【００２５】
前述の考慮事項は、１つ又はそれ以上のＰＵＣＣＨリソースが各ＵＥに対して予備される必要があるが、このようなリソースのうちの一部だけが通常に各サブフレームで使用される場合に、ＰＵＣＣＨでＨＡＲＱ−ＡＣＫ信号送信又は各リソースの決定に使用される特定の方法に関係なく適用される。
【００２６】
したがって、プライマリーＵＬ ＣＣでＨＡＲＱ−ＡＣＫ信号送信のためのリソースオーバーヘッドを減少させる必要がある。
【００２７】
また、複数のＵＥからのＨＡＲＱ−ＡＣＫ信号送信のためのリソース間の衝突を避ける必要がある。
【００２８】
最後に、ＨＡＲＱ−ＡＣＫ信号送信のためのリソースをＵＥに割り当てるための規則を決定する必要がある。
【先行技術文献】
【特許文献】
【００２９】
【特許文献１】国際公開第２０１０／１０６７８６号
【発明の概要】
【発明が解決しようとする課題】
【００３０】
本発明の目的は、少なくとも上述した問題点及び／又は不都合に取り組み、少なくとも以下の便宜を提供することにある。すなわち、本発明の目的は、先行技術に関連した問題点及び／又は短所のうちの少なくとも１つを少なくとも部分的に解決、緩和、又は予防を行う方法及び装置を提供することにある。
【００３１】
本発明の他の目的は、複数の構成要素キャリア（ＣＣ）又は複数のＤＬサブフレームでノードＢにより送信されたＤＬ ＳＡのＵＥによる受信に応答してなされるＨＡＲＱ−ＡＣＫ信号送信のためのリソースをＵＥが決定する方法及び装置を提供することにある。
【課題を解決するための手段】
【００３２】
上記のような目的を達成するために、本発明の一態様によれば、各ＤＬ ＳＡを伝達するＤＣＩフォーマットは、ＵＥがＨＡＲＱ−ＡＣＫ信号の送信電力を調整するためのＴＰＣ命令を提供する送信電力制御（ＴＰＣ）情報要素（ＩＥ）を含むＩＥで構成される。プライマリーＵＬ ＣＣにリンクされたＤＬ ＣＣに対するＤＬ ＳＡを伝達するＤＣＩフォーマットのＴＰＣ ＩＥは、意図した目的であるＨＡＲＱ−ＡＣＫ信号送信電力調整のために使用される他方、ＵＥが構成されたＤＬ ＣＣのうちの残りに対するＤＬ ＳＡを伝達するＤＣＩフォーマットのＴＰＣ ＩＥは、構成されたリソースのセットのうちでＨＡＲＱ−ＡＣＫ信号送信のためのリソースをＵＥに表示するのに使用される。
【００３３】
本発明の他の態様によれば、各ＤＬ ＳＡを伝達するＤＣＩフォーマットは、ＵＥがＨＡＲＱ−ＡＣＫ信号の送信電力を調整するためのＴＰＣ命令を提供する送信電力制御（ＴＰＣ）情報要素（ＩＥ）及びＵＥがＨＡＲＱ−ＡＣＫ信号を発生する複数のＤＬ ＳＡの相対的な順序を提供するダウンリンク割り当てインデックス（ＤＡＩ）ＩＥを含むＩＥで構成される。ＤＡＩ ＩＥが第１のＤＬ ＳＡであるもので表示したＤＬ ＳＡを伝達するＤＣＩフォーマットのＴＰＣ ＩＥは、自身の意図した目的であるＨＡＲＱ−ＡＣＫ送信電力調整のために使用されるが、ＤＡＩ ＩＥが第１のＤＬ ＳＡでないもので表示したＤＬ ＳＡを伝達する、ＤＣＩフォーマットのＴＰＣ ＩＥは、構成されたリソースのセットのうちでＨＡＲＱ−ＡＣＫ信号送信のためのリソースをＵＥに表示するのに使用される。
【発明の効果】
【００３４】
本発明の他の目的、利点、及び顕著な特徴は、添付の図面及び本発明の実施形態からなされる以下の詳細な説明から、当業者にとって明確になるはずである。
【図面の簡単な説明】
【００３５】
【図１】ＨＡＲＱ−ＡＣＫ信号の送信のためのＰＵＣＣＨサブフレームを示す図である。
【図２】ＰＵＣＣＨサブフレームの１つのスロットでＣＡＺＡＣシーケンスを用いるＨＡＲＱ−ＡＣＫ信号送信のための構造を示す図である。
【図３】ＣＡＺＡＣシーケンスのための送信器構造を示すブロック図である。
【図４】ＣＡＺＡＣシーケンスのための受信器構造を示すブロック図である。
【図５】相互に異なる循環シフトの適用を通したＣＡＺＡＣシーケンスの多重化を示す図である。
【図６】ＰＤＣＣＨ ＣＣＥを用いるＳＡの送信を示すブロック図である。
【図７】それぞれの複数のＤＬ ＣＣに対する複数のＳＡの受信に応答してＵＬ ＣＣでのＨＡＲＱ−ＡＣＫ信号送信のための相互に異なるリソースの使用可能性（availability）を示す図である。
【図８】本発明の一実施形態に従ってＵＥがプライマリーＵＬ ＣＣにリンクされたＤＬ ＣＣですべてのＳＡを受信するという仮定の下にそれぞれの複数のＤＬ ＣＣに対する複数のＳＡを伝達するＣＣＥを用いるＨＡＲＱ−ＡＣＫ信号送信リソースの発生の一例を示す図である。
【図９】本発明の一実施形態に従ってＵＥがそれぞれの複数のＤＬ ＣＣに対する複数のＳＡを受信し、一部のＳＡは、プライマリーＵＬ ＣＣに接続されないＤＬ ＣＣで受信されるという仮定の下に、ＲＲＣ構成されたリソースを用いるＨＡＲＱ−ＡＣＫ信号送信リソースの発生の一例を示す図である。
【図１０】本発明の一実施形態に従ってＵＥが複数のＤＬ ＳＡの受信に応答して送信したＨＡＲＱ−ＡＣＫ信号に対してリソースをインデキシングするためにＤＬ ＳＡでＴＰＣ ＩＥのビットを用いる原理を示す図である。
【図１１】本発明の一実施形態に従ってＲＲＣ構成されたＨＡＲＱ−ＡＣＫリソースに適用されるオフセットとＴＰＣ ＩＥに対する値との間の段階的（step-wise）マッピングを示す図である。
【図１２】本発明の一実施形態に従ってＲＲＣ構成されたＨＡＲＱ−ＡＣＫリソースに適用されるオフセットとＴＰＣ ＩＥに対する値との間の順次な（serial）マッピングを示す図である。
【図１３】本発明の一実施形態に従ってそれぞれのＤＬ ＳＡでプライマリーＤＬ ＣＣに対するリソース、ＴＰＣ ＩＥ及びＤＡＩ ＩＥの関数として、プライマリーＤＬ ＣＣ外のＤＬ ＣＣでＤＬ ＳＡに対するＨＡＲＱ−ＡＣＫリソースマッピングを示す図である。
【図１４】本発明の一実施形態に従ってＴＰＣ ＩＥ値に従ってリソースを選択する制御器を含むＨＡＲＱ−ＡＣＫ信号送信器のブロックを示す図である。
【図１５】本発明の一実施形態に従ってＴＰＣ ＩＥ値に従ってリソースを選択する制御器を含むＨＡＲＱ−ＡＣＫ信号受信器のブロックを示す図である。
【発明を実施するための形態】
【００３６】
以下では、本発明を添付の図を参照してさらに完全に説明する。しかしながら、本発明は、多くの他の形態で実現することができ、ここで記述された実施形態に限定されるものと解釈されてはいけない。これらの実施形態は、開示が徹底し、十分であるため、及び当業者に本発明の範囲を完全に伝達するために提供される。
【００３７】
また、本発明が直交周波数分割多重接続（Orthogonal Frequency Division Multiple Access：ＯＦＤＭＡ）通信システムに関連して説明したが、一般的にすべての周波数分割多重化（Frequency Division Multiplexing：ＦＤＭ）システムと、特に、単一キャリア周波数分割多重接続（Single-Carrier Frequency Division Multiple Access：ＳＣ−ＦＤＭＡ）、ＯＦＤＭ、ＦＤＭＡ、離散フーリエ変換（ＤＦＴ）−拡散ＯＦＤＭ、ＤＦＴ−拡散ＯＦＤＭＡ、ＳＣ−ＯＦＤＭＡ、及びＳＣ−ＯＦＤＭにも適用される。
【００３８】
複数のＤＬ ＣＣ又は複数のＤＬサブフレームで複数のＤＬ ＳＡ受信に応答してなされるＨＡＲＱ−ＡＣＫ信号送信のためのリソースをＵＥが決定する方法及び装置が説明される。
【００３９】
本発明の一態様は、プライマリーＵＬ ＣＣでＨＡＲＱ−ＡＣＫ信号送信に対して使用可能なリソースの相対的な（relative）インデキシング(indexing）を提供する。このようなリソースは、各ＤＬ ＳＡを通してＲＲＣ構成されるか、又は動的に決定することができる。ＲＲＣ構成されたリソースを考慮することができるが、動的に決定されたリソースに対しても同一の原理が直接適用される（このような説明の反復は簡潔さのために省略する）。
【００４０】
１番目の場合に、同一のプライマリーＵＬ ＣＣでＨＡＲＱ−ＡＣＫ信号送信を有するすべてのＵＥは、プライマリーＵＬ ＣＣにリンクされたＤＬ ＣＣでＳＡを受信するか、又は対応するＰＣＦＩＣＨを信頼性よく受信することができると仮定する。プライマリーＵＬ ＣＣにリンクされたＤＬ ＣＣをプライマリーＤＬ ＣＣと呼ぶ。プライマリーＤＬ ＣＣに対するＤＬ ＳＡに応答してなされるＨＡＲＱ−ＡＣＫ信号送信のためのリソースは、各ＤＬ ＳＡに対して最小のインデックスを有するＣＣＥから決定することができるものと仮定する。プライマリーＤＬ ＣＣ外のＤＬ ＣＣに対するＤＬ ＳＡに応答してなされるＨＡＲＱ−ＡＣＫ信号送信のためのリソースは、各ＵＥに対するＲＲＣシグナリングを介して構成され、プライマリーＤＬ ＣＣでＰＤＣＣＨサイズにより順番通りに決定される、プライマリーＤＬ ＣＣでＤＬ ＳＡに応答してなされるＨＡＲＱ−ＡＣＫ信号送信に要求されるリソースの総個数に比例して（relative to）決定される。
【００４１】
図８は、上述した第１の場合を示している。プライマリーＤＬ ＣＣにおいて、ＰＤＣＣＨは、サブフレームｐ８１０でＰ個のＣＣＥを占め、サブフレームｑ８２０でＱ個のＣＣＥを占める。同一のプライマリーＵＬ ＣＣを有する各ＵＥがプライマリーＤＬ ＣＣでＳＡを受信するか、又はプライマリーＤＬ ＣＣでＰＣＦＩＣＨを信頼性よく受信するので、各ＵＥは、プライマリーＤＬ ＣＣ（ＤＬ ＣＣ１）でＤＬ ＳＡに応答してなされるプライマリーＵＬ ＣＣでのＨＡＲＱ−ＡＣＫ信号の送信に対して使用可能なリソースを認識する。このようなリソースは、サブフレームｐ８３０でＰであり、サブフレームｑ８４０でＱであるプライマリーＤＬ ＣＣでのＣＣＥの総個数により決定される。したがって、ＵＥは、ＨＡＲＱ−ＡＣＫ信号送信に対する自身のＲＲＣ構成（ＲＲＣ-configured）リソースがサブフレームｐのＰ＋ＮＰＵＣＣＨリソース（第１のＲＲＣ構成リソースは、Ｐ＋１＋ＮＰＵＣＣＨとしてインデキシングされ、カウンティングは１から開始される）の後にインデキシングされ、サブフレームｑでＱ＋ＮＰＵＣＣＨリソース（第１のＲＲＣ構成リソースはＱ＋１＋ＮＰＵＣＣＨとしてインデキシングされる）の後にインデキシングされることを認識する。サブフレームｐ及びｑにおいて、ＤＬ ＳＡ受信に対応するＨＡＲＱ−ＡＣＫ信号送信に対するＲＲＣ構成リソースの数がそれぞれＮＣＡ（ｐ）及びＮＣＡ（ｑ）と仮定すると、サブフレームｐにおいてＨＡＲＱ−ＡＣＫ信号送信のためのリソースの総個数はＱ＋ＮＰＵＣＣＨ＋ＮＣＡ（ｑ）８６０である。各領域の開始の前にＢＷの上部（upper part）に対して図示されたリソースインデキシングは、サブフレームｐ、８７０、８７２、及び８７４であり、これは、ＢＷの下部（lower part）及びサブフレームｑに対しても同一の方式で拡張することができる（簡潔さのために省略される）。ＮＣＡの単一値は、ブロードキャストシグナリングを介してアップデートされるまですべてのサブフレーム、すなわち、ＮＣＡ（ｐ）＝ＮＣＡ（ｑ），∀ｐ，ｑに適用することができる。また、ノードＢが各ＵＥにより使用されるリソースを知っているために、ＵＥは、プライマリーＤＬ ＣＣ外のＤＬ ＣＣに対するＤＬ ＳＡに応答してなされるＨＡＲＱ−ＡＣＫ信号送信のためのリソースをプライマリーＤＬ ＣＣのＤＬ ＳＡに応答してなされるＨＡＲＱ−ＡＣＫ信号送信のためのリソースの総個数に比例して決定する場合に、ＮＣＡ値の通知を受ける必要がないこともある。
【００４２】
２番目の場合において、同一のプライマリーＵＬ ＣＣでＨＡＲＱ−ＡＣＫ信号送信を有するＵＥのうちの一部は、プライマリーＤＬ ＣＣでＳＡを受信せず、プライマリーＤＬ ＣＣでＰＣＦＩＣＨを信頼性よく受信すると想定することができない。プライマリーＤＬ ＣＣ外のＤＬ ＣＣでＤＬ ＳＡに応答してなされるＨＡＲＱ−ＡＣＫ信号送信のためのリソースは、やはり各ＵＥに対してＲＲＣ構成がなされるが、このようなリソースは、プライマリーＤＬ ＣＣでＤＬ ＳＡに応答してなされるＨＡＲＱ−ＡＣＫ信号送信に要求されるリソースの最大個数に比例して決定される。すなわち、与えられたサブフレームにおいて、最大ＰＤＣＣＨサイズは、プライマリーＤＬ ＣＣ外のＤＬ ＣＣに対するＤＬ ＳＡに応答してなされるＨＡＲＱ−ＡＣＫ信号送信のためのリソースをインデキシングするためにプライマリーＤＬ ＣＣで常に仮定される。プライマリーＤＬ ＣＣで送信されるＤＬ ＳＡに応答してなされるＨＡＲＱ−ＡＣＫ信号送信のためのリソースは、やはり各ＤＬ ＳＡに対する最小のインデックスを有するＣＣＥから決定される。
【００４３】
図９は、上述した２番目の場合を示す。プライマリーＤＬ ＣＣにおいて、ＰＤＣＣＨは、サブフレームｐ９１０でＰ個のＣＣＥを占める一方、ＰＤＣＣＨは、サブフレームｑ９２０でＱ個のＣＣＥを占める。同一のプライマリーＵＬ ＣＣを有する一部のＵＥは、ＳＡを受信せず、プライマリーＤＬ ＣＣでＰＣＦＩＣＨを信頼性よく受信しないので、このような各ＵＥは、プライマリーＤＬ ＣＣ（ＤＬ ＣＣ１）でＤＬ ＳＡに応答してなされるプライマリーＵＬ ＣＣでのＨＡＲＱ−ＡＣＫ信号の送信に要求されるリソースがわからない。このようなリソースは、サブフレームｐ９３０でＰと同一であり、サブフレームｑ９４０でＱと同一のＳＡの送信のためのプライマリーＤＬ ＣＣでのＣＣＥの総個数により決定される。したがって、Ｎｍａｘ（ｊ）がサブフレームｊでＳＡ送信に対するＣＣＥの最大個数である場合に、ＵＥは、ＨＡＲＱ−ＡＣＫ信号送信に対する自身のＲＲＣ構成リソースがＮｍａｘ（ｊ）＋ＮＰＵＣＣＨリソース（第１のＲＲＣ構成リソースはＮｍａｘ（ｊ）＋１＋ＮＰＵＣＣＨとしてインデキシングされ、カウンティングは１から開始する）の後にインデキシングされることを理解する。サブフレームｐにおいてＨＡＲＱ−ＡＣＫ信号送信のための最後のＲＲＣ構成リソースがＮＣＡ（ｐ）であり、サブフレームｑにおいてＨＡＲＱ−ＡＣＫ信号送信のための最後のＲＲＣ構成リソースがＮＣＡ（ｑ）であると仮定する場合に、サブフレームｐにおいてＨＡＲＱ−ＡＣＫ信号送信のためのリソースの総個数はＮｍａｘ（ｐ）＋ＮＰＵＣＣＨ＋ＮＣＡ（ｐ）９５０であり、サブフレームｑでＨＡＲＱ−ＡＣＫ信号送信のためのリソースの総個数はＮｍａｘ（ｑ）＋ＮＰＵＣＣＨ＋ＮＣＡ（ｑ）９６０である。各領域の開始の前にＢＷの上部に対して図示されたリソースインデキシングは、サブフレームｐ、９７０、９７２、９７４であり、これは、ＢＷの下部及びサブフレームｑに対しても同一の方式で拡張することができる（簡潔さのために省略される）。
【００４４】
本発明の他の態様は、プライマリーＵＬ ＣＣでＨＡＲＱ−ＡＣＫ信号送信に対してＲＲＣ構成されるか、又は各ＤＬ ＳＡを通して動的に決定されたリソースの実際のインデキシングを提供する。
【００４５】
プライマリーＵＬ ＣＣにおいてＨＡＲＱ−ＡＣＫ信号送信に対してＲＲＣ構成された（又は動的に決定された）リソースの相対的なインデキシングが決定されると、大きいオーバーヘッドを避けるためにＲＲＣ構成された（又は動的に決定された）リソースの追加のインデキシングが必要である。これは、サブフレーム当たりの複数のＤＬ ＣＣにＤＬ ＳＡを有するＵＥの数が小さいとしても、複数のＤＬ ＣＣでＤＬ ＳＡを潜在的に有する多くのＵＥが存在することもあり、これらは、ＲＲＣシグナリングを通したＨＡＲＱ−ＡＣＫ信号送信のために構成されたリソースであるので、このようなリソースは、ＲＲＣ構成リソースの速い再割り当てが可能でないか、又は要求されるシグナリングの観点で不十分であるので、サブフレームでＤＬ ＳＡを有しないとしてもＵＥに割り当てられたままに維持される必要がある。
【００４６】
Ｋ個のＤＬ ＣＣの各々でＤＬ ＳＡを潜在的に有する総Ｍ個のＵＥを仮定し、プライマリーＤＬ ＣＣでＤＬ ＳＡに応答してなされる各ＨＡＲＱ−ＡＣＫ信号送信のためのリソースが各ＤＬ ＳＡに対する最小のインデックスを有するＣＣＥから決定されると仮定すると、ＲＲＣ構成リソースの数はＭ・（Ｋ−１）である。Ｍ＝１００であり、平均値Ｋ＝３の場合に、各リソースを固有に割り当て、潜在的な衝突又はスケジューラ制限を避けるために総２００個のリソースが各ＵＥにＲＲＣ構成される必要がある。ＲＢ当たりの１８個のＨＡＲＱ−ＡＣＫ信号の多重化容量をさらに仮定すると、表１に説明された通りに、ＲＲＣ構成リソースでＨＡＲＱ−ＡＣＫ送信をサポートするためにプライマリーＵＬ ＣＣで約総1１個のＲＢが要求される。単一のＲＢで１８個のＨＡＲＱ−ＡＣＫ信号の多重化は相当な干渉をもたらすが、このようなオーバーヘッドは、小さく取った推定値（conservative estimate）であっても相当である（干渉は、ＲＢ当たりの単一ＨＡＲＱ−ＡＣＫ信号送信に比例して１０ｌｏｇ１０（１８）＝１２．５５デシベル（ｄＢ）だけ増加する）。また、Ｍ＝１００個以上のＵＥは（これらのうちの一部だけが実際にサブフレーム当たりのＤＬ ＳＡ受信を有することができるが）、複数のＤＬ ＣＣでＤＬ ＳＡ受信で構成することができる。ＨＡＲＱ−ＡＣＫ信号送信のためのＲＲＣ構成リソースと関連したオーバーヘッドを減少させるために、本発明は、このようなリソースがＵＥの間で共有することができ、追加のインデキシングが潜在的な衝突を避けるために適用することができる。
【００４７】
ＤＬ ＳＡは、ＰＤＳＣＨ受信に対して相互に異なる側面を可能にする複数の情報要素（ＩＥ）を送信する。ＵＥが後続ＨＡＲＱ−ＡＣＫ信号送信の電力を調節するために、送信電力制御（ＴＰＣ）命令を提供するＩＥは、ＤＬ ＳＡのＩＥの内部にある。ＨＡＲＱ−ＡＣＫ信号送信は、プライマリーＵＬ ＣＣにあり、複数のＵＬ ＣＣにないものと仮定するので、単一ＴＰＣ命令だけが必要である。本発明では、ＴＰＣ ＩＥが、ＵＥが構成されるプライマリーＤＬ ＣＣで送信されたＤＬ ＳＡにより提供され、このような複数のＤＬ ＳＡの場合に、ＴＰＣ命令は、プライマリーＤＬ ＣＣでＰＤＳＣＨ受信をスケジューリングするＤＬ ＳＡにより提供される。また、本発明は、１つのＤＬ ＳＡからのＴＰＣ ＩＥが意図した目的で使用されるか否かに関係なく、すべてのＤＬ ＳＡがＴＰＣ ＩＥを含む。（同一の値を有するように設定することができる）残りのＴＰＣ ＩＥは、各ＤＬ ＳＡに対応するＨＡＲＱ−ＡＣＫ信号送信のためのＲＲＣ構成リソースをインデキシングするのに使用することができる。したがって、与えられたＵＥに対してプライマリーＤＬ ＣＣに対するＤＬ ＳＡに対応するＨＡＲＱ−ＡＣＫ信号送信のために使用可能なリソースをｎＰＵＣＣＨ（０）とし、プライマリーＤＬ ＣＣ外のＤＬ ＣＣでＤＬ ＳＡに対応するＨＡＲＱ−ＡＣＫ信号送信のために使用可能なリソースはｎＰＵＣＣＨ（ｊ），ｊ＞０とすると、次のようである。
【００４８】
ｎＰＵＣＣＨ（ｊ）＝ｆ（ｎＰＵＣＣＨ（０），ＴＰＣ（ｊ）），ｊ＞０
【００４９】
また、本発明は、ＨＡＲＱ−ＡＣＫ信号送信のためのＲＲＣ構成リソースを動的にインデキシングするためにＴＰＣ ＩＥを使用する上述した実施形態は、このようなインデキシングのために使用される、ＤＬ ＳＡでの新たなＩＥの導入を含むように一般化することができる。ＨＡＲＱ−ＡＣＫリソースインデキシングのために使用されるＩＥをＨＲＩ ＩＥとすると、ＨＡＲＱ−ＡＣＫ信号送信のために使用されるリソースは、次のように決定することができる。
【００５０】
ｎＰＵＣＣＨ（ｊ）＝ｆ（ｎＰＵＣＣＨ（０），ＴＰＣ（ｊ）），ｊ＞０
【００５１】
ここで、ｊはＤＬ ＣＣインデックスを示す。また、ＨＲＩ ＩＥは、プライマリーＤＬ ＣＣでＤＬ ＳＡに応答してなされるＨＡＲＱ−ＡＣＫ信号送信のためのリソースをインデキシングするのに使用することができる（最小のＣＣＥインデックスへのリンクは適用されないこともある）。
【００５２】
図１０は、ＤＬ ＳＡでＴＰＣ ＩＥビットを用いて複数のＤＬ ＳＡの受信に応答してなされるＨＡＲＱ−ＡＣＫ信号送信のためのリソースをインデキシングすることを示す。プライマリーＤＬ ＣＣ１０１０において、ＤＬ ＳＡ１のＴＰＣ ＩＥは、各ＤＬ ＳＡ受信に応答してなされるＨＡＲＱ−ＡＣＫ信号送信１０２０のための電力をＵＥが決定するのに使用される。ＤＬ ＳＡ２ １０３０乃至ＤＬ ＳＡ Ｋ１０５０のＴＰＣ ＩＥは、それぞれＨＡＲＱ−ＡＣＫ信号送信１０４０乃至１０６０のためのＲＲＣ構成リソースに対するインデックスとして使用される。
【００５３】
図１１及び図１２は、図１０の一般的な原理に対する２種類の特定例を示す。ＵＥは、構成されたＫ＝５のＤＬ ＣＣを有するものと仮定する。ＴＰＣ ＩＥは、“００”、 “０１”、“１０”、及び“１１”の値を有する２個のビットで構成され、各値は、ＴＰＣ ＩＥがＨＡＲＱ−ＡＣＫ信号送信のリソースをインデキシングするのに使用される場合に、ＨＡＲＱ−ＡＣＫ信号送信のためのＲＲＣ構成リソースの相互に異なる（different）オフセットに対応する。
【００５４】
図１１は、ＲＲＣ構成ＨＡＲＱ−ＡＣＫリソースに適用されるオフセットとＴＰＣ ＩＥビットに対する値との間の段階的マッピングを示す。可能なマッピングは、参照符号１１１０で図示され、ここで、“００”はオフセット０を示し、“０１”はオフセット４を示し、“１０”はオフセット８を示し、“１１”はオフセット１６を示す。ＵＥ１ １１２０、ＵＥ２ １１３０、及びＵＥ３ １１４０は、重なる（overlapping）ＲＲＣ構成ＨＡＲＱ−ＡＣＫリソースを有する。また、ＵＥ４ １１５０、ＵＥ５ １１６０、及びＵＥ６ １１７０は、重なるＲＲＣ構成ＨＡＲＱ−ＡＣＫリソースを有する。ＲＲＣ構成ＨＡＲＱ−ＡＣＫリソースのコンパクトネス（compactness）にもかかわらず（１８個が必要である時に８個のリソースだけが構成される）、各ＤＬ ＳＡのＴＰＣ ＩＥビット１１２２、１１３２、１１４２、１１５２、１１６２、及び１１７２を用いるインデキシングを介して適用されるオフセットは、各々結果的なＨＡＲＱ−ＡＣＫリソース１１２４、１１３４、１１４４、１１５４、１１６４、及び１１７４からオーバーラッピングを除去する。最小が１８である時に２４個のリソースが使用されるのでＨＡＲＱ−ＡＣＫ信号送信のための結果的なリソースに対するマッピングは多少コンパクトである（ＨＡＲＱ−ＡＣＫ信号が経験する干渉を減らすために若干の重複は好ましい）。また、与えられたＵＥに対してプライマリーＤＬ ＣＣでのＤＬ ＳＡ外の各ＤＬ ＳＡでのＴＰＣ ＩＥビットは同一の値を有するものと観察される。
【００５５】
図１２は、ＲＲＣ構成されたＨＡＲＱ−ＡＣＫリソースに適用されるオフセットとＴＰＣ ＩＥビットに対する値との間の順次な（serial）マッピングを示す。可能なマッピングが参照符号１２１０で図示され、ここで、“００”はオフセット０を示し、“０１”はオフセット１を示し、“１０”はオフセット２を示し、“１１”はオフセット３を示す。ＵＥ１ １２２０、ＵＥ２ １２３０、及びＵＥ３ １２４０は、重なったＲＲＣ構成ＨＡＲＱ−ＡＣＫリソースを有する。また、ＵＥ４ １２５０、ＵＥ５ １２６０、及びＵＥ６ １２７０は、重なったＲＲＣ構成ＨＡＲＱ−ＡＣＫリソースを有する。各ＤＬ ＳＡでＴＰＣ ＩＥビット１２２２、１２３２、１２４２、１２５２、１２６２、及び１２７２を用いるインデキシングを介して適用されるオフセットは、各々結果的なＨＡＲＱ−ＡＣＫリソース１２２４、１２３４、１２４４、１２５４、１２６４、及び１２７４からオーバーラッピングを除去する。最小が１８である時に２１個のリソースが使用されるので、ＨＡＲＱ−ＡＣＫ信号送信のための結果的なリソースに対するマッピングはさらにコンパクトである。基本的に、ＲＲＣ構成リソースは、サブフレーム当たりの複数のＤＬ ＣＣにおいてＤＬ ＳＡの受信を有するＵＥの最大個数及びこのようなＤＬ ＣＣの個数を考慮する必要がある。ＴＰＣ ＩＥでの２ビットは、ＤＬ ＣＣでＤＬ ＳＡに対して同一のＲＲＣ構成ＨＡＲＱ−ＡＣＫリソースを有する４個までのＵＥからのＨＡＲＱ−ＡＣＫ信号送信のためのリソースの衝突を避けるために使用することができる。
【００５６】
本発明の他の側面は、ダウンリンク割り当て指示子（ＤＡＩ）ＩＥと呼ばれ、ＤＬ ＳＡの数を示すカウンターＩＥをＤＬ ＳＡが含む時にＨＡＲＱ−ＡＣＫ信号送信のためのリソース決定を提供する。例えば、ＵＥが４個のＤＬ ＣＣで構成されると、ＤＡＩ ＩＥは、各々プライマリーＤＬ ＣＣ、第２、第３、及び第４のＤＬ ＣＣでＰＤＳＣＨ受信をスケジューリングするＤＬ ＳＡに１、２、３、及び４の値を有することができる。同一の内容がＴＤＤシステム及び単一ＣＣ動作にも適用され、この場合に、ＤＬサブフレームがＤＬ ＣＣに取って代わり、ＤＡＩ ＩＥは、それぞれ第１、第２、第３、及び第４のＤＬサブフレームでＰＤＳＣＨ受信をスケジューリングするＤＬ ＳＡに１、２、３、及び４の値を有することができる。プライマリーＤＬ ＣＣ又はＴＤＤシステムの場合に第１のＤＬサブフレームでＰＤＳＣＨ受信をスケジューリングするＤＬ ＳＡにより提供されるＴＰＣ ＩＥは、ＨＡＲＱ−ＡＣＫ信号送信の電力を決定するのに使用される。
【００５７】
（プライマリーＤＬ ＣＣ又は第１のＤＬサブフレーム外の）残りのＤＬ ＣＣ又はＤＬサブフレームの各々でＰＤＳＣＨ受信に応答してなされるＨＡＲＱ−ＡＣＫ信号送信のための各リソースは、それぞれのＤＬ ＣＣ、又はＤＬサブフレームに対するＤＬ ＳＡで、プライマリーＤＬ ＣＣ又は第１のＤＬサブフレームに対応するリソース、ＴＰＣ ＩＥ及びＤＡＩ ＩＥの関数（function）として決定される。与えられたＵＥに対して、プライマリーＤＬ ＣＣ又は、第１のＤＬサブフレームでＨＡＲＱ−ＡＣＫ信号送信に使用されるリソースをｎＰＵＣＣＨ（０）とし、プライマリーＤＬ ＣＣ又は、第１のＤＬサブフレーム外のＤＬ ＣＣ又はＤＬサブフレームで使用されるリソースをｎＰＵＣＣＨ（ｊ），ｊ＞０とすると、次のようである。
【００５８】
ｎＰＵＣＣＨ（ｊ）＝ｆ（ｎＰＵＣＣＨ（０），ＨＲＩ（ｊ），ＤＡＩ（ｊ）），ｊ＞０
【００５９】
また、上述したように、各ＨＡＲＱ−ＡＣＫ信号送信のために使用されるリソースをインデキシングするためにＤＬ ＳＡにＨＲＩ ＩＥを導入することができる。リソースは、次のように決定される。
【００６０】
ｎＰＵＣＣＨ（ｊ）＝ｆ（ｎＰＵＣＣＨ（０），ＨＲＩ（ｊ），ＨＲＩ（ｊ）），ｊ＞０
【００６１】
図１３は、それぞれのＤＬ ＳＡでプライマリーＤＬ ＣＣに対するリソース、ＴＰＣ ＩＥ及びＤＡＩ ＩＥの関数として、プライマリーＤＬ ＣＣ外のＤＬ ＣＣでＤＬ ＳＡの受信に応答してなされるＨＡＲＱ−ＡＣＫ信号送信のためのリソースマッピングを示す。プライマリーＤＬ ＣＣに対するＤＬ ＳＡ外の各ＤＬ ＳＡでのＴＰＣ ＩＥビットは、ＨＡＲＱ−ＡＣＫ信号送信リソースを示すのに使用される。可能なマッピングが参照符号１３１０で図示されており、ここで、“００”はオフセット１を示し、“０１”はオフセット２を示し、“１０”はオフセット３を示し、“１１”はオフセット４を示す。オフセット値は、ＵＥがＨＡＲＱ−ＡＣＫ信号送信のために送信器ダイバーシティで構成されたか否かに従って異なり、このような場合（送信器ダイバーシティで構成された場合）に、それぞれ２、４、６、及び８のように相互に異なるオフセット値が使用することができる（２個の送信器アンテナを仮定する時に）。ＵＥ１、ＵＥ２、ＵＥ３、ＵＥ４、ＵＥ５、及びＵＥ６は、それぞれ（プライマリーＤＬ ＣＣ外の）４個、２個、３個、３個、４個、及び２個のＤＬ ＣＣでＤＬ ＳＡの受信に成功し、各ＤＬ ＳＡは、ＴＰＣ ＩＥ値１３２２、１３３２、１３４２、１３５２、１３６２、及び１３７２をそれぞれ伝達する。図１３のマッピングにおいて、ＨＡＲＱ−ＡＣＫ信号送信のためのリソースは、ＴＰＣ ＩＥにより特定のオフセット値をＤＡＩ ＩＥの値でスケーリングし、その結果を各プライマリーＤＬ ＣＣ１３２４、１３３４、１３４４、１３５４、１３６４、及び１３７４でＤＬ ＳＡ受信に応答してなされるＨＡＲＱ−ＡＣＫ信号送信のためのリソースに加えることにより得られる。ＤＡＩ ＩＥ値は、各ＤＬ ＳＡ受信に対して昇順である（プライマリーＤＬ ＣＣでのＰＤＳＣＨ受信に対して０から開始する）。したがって、図１３において与えられたＵＥに対して、ＤＬ ＣＣ ｊでＰＤＳＣＨ受信に応答してなされるＨＡＲＱ−ＡＣＫ信号送信のためのリソースｎＰＵＣＣＨ（ｊ），ｊ＞０は、ｎＰＵＣＣＨ（ｊ）＝ｎＰＵＣＣＨ（０）＋ＴＰＣ・ＤＡＩ，ｊ＞０である。
【００６２】
図１４は、ＨＡＲＱ−ＡＣＫ信号送信のためのＵＥ送信器の構成を示すブロック図である。ＨＡＲＱ−ＡＣＫ信号送信のために使用されるＲＲＣ構成リソースは、ＵＥが各ＤＬ ＳＡから得られたＴＰＣ ＩＥ（又はＨＲＩ ＩＥ）値１４９０のマッピングのために制御器により特定されるオフセットに従うことを除外し、主要な構成要素は図３に示すようである。コンピュータ発生ＣＡＺＡＣシーケンス１４１０の周波数領域バージョンが使用される。ＣＡＺＡＣシーケンスは、サブキャリア１４３０にマッピングされ、ＩＦＦＴが実行１４４０され、循環シフト１４５０が実行される。このリソースは、ＲＢ１４２０及びＣＳ１４５０（及びＯＣＣ−単純性のために図示せず）を含む。図１４は、制御器がＴＰＣ ＩＥに加えてＤＡＩ ＩＥを含むように簡素な方式で修正することができる。最後に、ＣＰ１４６０及びフィルターリング１４７０が送信された信号１４８０に適用される。
【００６３】
図１５は、ＨＡＲＱ−ＡＣＫ信号受信のためのノードＢ受信器の構成を示すブロックである。ＨＡＲＱ−ＡＣＫ信号受信のために使用されるＲＲＣ構成リソースは、ノードＢが各ＤＬ ＳＡに含むＴＰＣ ＩＥ（又はＨＲＩ ＩＥ）値１５１０のマッピングのために制御器により特定されたオフセットに従うことを除外し、主要な構成要素は図４に示すようである。このリソースは、ＲＢ１５６５及びＣＳ１５３０（及びＯＣＣ−単純性のために図示せず）を含む。ディジタル受信信号１５１０がフィルターリング（１５１５）され、ＣＰが除去（１５２５）される。この後に、ＣＳが復元（１５３０）され、ＦＦＴ１５３５が適用され、ＦＦＴ１５３５の出力がサブキャリア１５４０にデマッピングされる。また、ステップ１５４５において、乗算器により信号がステップ１５５０のＣＡＺＡＣシーケンスのレプリカと相関する。その後に、出力１５６０がＲＳに対する時間−周波数補間器のようなチャネル推定部又は送信されたＨＡＲＱ−ＡＣＫ信号に対する検出部に伝達することができる。
【００６４】
図１５は、制御器がＴＰＣ ＩＥに加えてＤＡＩ ＩＥを含むように簡素な方式で修正することができる。
【００６５】
本発明は、特定の実施形態を参照して図示され説明されたが、当業者は、添付された請求項により定義されるように本発明の範囲を逸脱せず形態及び細部事項において様々な変更がなされることが可能なことを理解するのであろう。
【００６６】
本発明の実施形態は、ハードウェア、ソフトウェア、又はハードウェア及びソフトウェアの組み合せの形態で実現することができる。このような任意のソフトウェアは、例えば、削除又は再記録が可能であるか否かに関係なく、ＲＯＭなどの記憶装置のような揮発性又は非揮発性記憶装置、又は、例えば、ＲＡＭ、メモリチップ、装置又は集積回路のようなメモリ、又は例えばＣＤ、ＤＶＤ、磁気ディスク又は磁気テープなどの光学的又は磁気的に読み取り可能な媒体に記憶することができる。記憶装置及び記憶媒体は、本発明の実施形態を実現する指示を含むプログラム又はプログラムを格納するのに適合した機械可読の記憶装置の実施形態である。したがって、本発明の実施形態は、本願明細書の請求項のうちのいずれか１項で請求されるようなシステム又は方法を実現するためのコードを含むプログラム及びこのようなプログラムを格納する機械可読記憶装置を提供する。また、このようなプログラムは、有線又は無線接続を通じて搬送される通信信号のような任意の媒体を通じて電子的に移送され、実施形態はこれと均等なことを適切に含む。
【００６７】
本願の詳細な説明及び請求項において、“含む（comprise）”、“具備する（contain）”、及びこれらの変形、例えば、“含む（comprising）”及び“含む（comprises）”は“含まれるが、これに限定されない”との意味を有し、他の半分（moieties）、添加物（additives）、構成要素、完成品又はステップを排除しようと意図されない（そして排除しない）。
【００６８】
本願明細書の説明及び請求項にわたって、単数は文脈上これと異なることを要求しない限り複数を含む。特に、定められない対象が使用される場合に、文脈上異なることを必要としない限り、単数と同様に複数も考慮することと理解されなければならない。
【００６９】
本発明の特定側面、実施形態、又は例と共に説明される特徴、併合、特性、複合又はグループは、それに不適合しない限り、ここに説明された他の側面、実施形態又は例に適用できることがわかる。
【００７０】
本願の説明及び請求項において、一般的に“ＹのためのＸ”という一般的な形態の言語(ここで、Ｙは任意のアクション、動作又はステップであり、Ｘはこのようなアクション、動作又はステップを実行するための任意の手段）の表現は、これに限定されず、Ｙを実行するように設定又は適用される手段Ｘを含む。
【００７１】
以上、本発明を具体的な実施形態に関して図示及び説明したが、添付した特許請求の範囲により規定されるような本発明の趣旨及び範囲を外れることなく、形式や細部の様々な変更が可能であることは、当該技術分野における通常の知識を持つ者には明らかである。
【符号の説明】
【００７２】
１４１０ ＣＡＺＡＣシークエンス
１４２０ ＢＲ
１４３０ サブキャリア
１４４０ ＩＦＦＴ
１４５０ 循環シフト（ＣＳ）
１４６０ ＣＰ
１４７０ フィルターリング
１４８０ 送信された信号
１４９０ ＴＰＣ値マッピングの制御
【図１】
0005960771.tif 000010
【図２】
0005960771.tif 000011
【図３】
0005960771.tif 000012
【図４】
0005960771.tif 000013
【図５】
0005960771.tif 000014
【図６】
0005960771.tif 000015
【図７】
0005960771.tif 000016
【図８】
0005960771.tif 000017
【図９】
0005960771.tif 000018
【図１０】
0005960771.tif 000019
【図１１】
0005960771.tif 000020
【図１２】
0005960771.tif 000021
【図１３】
0005960771.tif 000022
【図１４】
0005960771.tif 000023
【図１５】
0005960771.tif 000024